(57)【特許請求の範囲】
【請求項１】
既設の和風便器の便鉢部上方または、既設の和風便器の便鉢部上方および既設の和風便器の周辺床を除去し、前記和風便器の非除去部を床仕上げ面以下に埋設させた状態で床仕上げを行う和風便器の改修における埋設構造において、既設の和風便器トラップ部を弾性体およびシール材により上方から閉塞させることを特徴とする和風便器の改修における埋設構造。
【請求項２】
既設の和風便器の便鉢部上方または、既設の和風便器の便鉢部上方および既設の和風便器の周辺床を除去し、前記和風便器の非除去部を床仕上げ面以下に埋設させた状態で床仕上げを行う和風便器の改修における埋設構造において、トラップ下流部の排水路を弾性体およびシール材により上方から閉塞させることを特徴とする和風便器の改修における埋設構造。
【請求項３】
既設の和風便器を埋設する際、前記和風便器の非除去部および周辺床に充填材を充填したことを特徴とする請求項１または２に記載の和風便器の改修における埋設構造。
【請求項４】
前記充填材が速硬性セルフレベリング材または速硬性モルタルであることを特徴とする請求項３記載の和風便器の改修における埋設構造。
【請求項５】
既設の和風便器の非除去部内に前記充填材とともに、鉄筋を埋設したことを特徴とする請求項３または４に記載の和風便器の改修における埋設構造。
【請求項６】
埋設される前記和風便器の非除去部と前記充填材との間に緩衝材を配設したことを特徴とする請求項３乃至５のいずれかに記載の和風便器の改修における埋設構造。
【請求項７】
前記和風便器を埋設する際、前記和風便器の非除去部上方に床プレートを配設することを特徴とする請求項１または２に記載の和風便器の改修における埋設構造。
【請求項８】
前記床プレートが高さ調節可能であることを特徴とする請求項７記載の和風便器の改修における埋設構造。
【請求項９】
前記床プレートの上部に床プレート仕上げ材を配設することを特徴とする請求項７または８記載の和風便器の改修における埋設構造。
【請求項１０】
前記和風便器を埋設する際、防水処理を施したことを特徴とする請求項１乃至９のいずれかに記載の和風便器の改修における埋設構造。
【請求項１１】
前記和風便器を埋設する際、既設の防水層と接続されるよう新たに防水処理を施したことを特徴とする請求項１０記載の和風便器の改修における埋設構造。
【請求項１２】
既設の和風便器の便鉢部上方および既設の和風便器周辺の床を除去後、既設和風便器のトラップ部、またはトラップ下流部の排水路を弾性体およびシール材により上方から閉塞させ、上方を除去された前記和風便器の非除去部および周辺床に充填材を充填し、養生後に床仕上げを行うことを特徴とする和風便器の改修における埋設工法。
【請求項１３】
上方を除去された前記和風便器の非除去部上方に鉄筋を配設し、前記充填材とともに埋設することを特徴とする請求項１２記載の和風便器の改修における埋設工法。
【請求項１４】
前記和風便器の便鉢部上方および前記和風便器周辺の床を、埋設されている既設の防水層が露出するように除去した後、既設の防水層と接続されるように新たな防水層を前記充填材上面に敷き、防水処理を施したことを特徴とする請求項１２または１３記載の和風便器の改修における埋設工法。
【請求項１５】
既設の和風便器の便鉢部上方および既設の和風便器周辺の床を除去した後、前記和風便器のトラップ部または、前記和風便器のトラップ下流部の排水路を弾性体およびシール材により上方から閉塞させ、上方を除去された前記和風便器の非除去部上方に床プレートを配設し、床仕上げを行うことを特徴とする和風便器の改修における埋設工法。
【請求項１６】
前記上方を除去された既設の和風便器の非除去部内に防水処理を施したことを特徴とする請求項１５記載の和風便器の改修における埋設工法。
【発明の詳細な説明】
【０００１】
【発明の属する技術分野】
本発明は、和風便器の改修方法に係わり、特に既設の和風便器を取り除き、新設の床仕上げへの改修を、和風便器設置フロアーからだけの作業で、短工期に行うことのできる和風便器の改修における埋設構造および埋設方法に関するものである。
【０００２】
【従来の技術】
従来、既設の和風便器３０を取り除き、新設の床仕上げへ改修する際、既設の和風便器３０を取り外した後、既設の給排水管を取り除き、コンクリートスラブ開口部３３の穴埋め処理を行い、新設の床仕上げを施工する。図−１６（ａ）のように設置された既設の和風便器３０を設置フロアーから粉砕するなどして取り除き、階下の天井裏より和風便器の破片を回収し、既設の給水管３６および既設の排水管９を取り除いて図−１６（ｂ）の状態になる。次にコンクリートスラブ２９を切削し、埋設されている既設の鉄筋３１を露出させ、既設の鉄筋３１に新設の鉄筋３２を溶接し、既設の和風便器３０を取り外した後のコンクリートスラブ開口部分３３を階下の天井裏より新設の蓋３４で塞ぎ、図−１６（ｃ）の状態になる。最後に、図−１６（ｄ）のように新設のモルタル３５で埋め戻し、乾燥のため養生後、床仕上げを行っている。なお床仕上げは、施工面に不陸がある場合は補修として、セルフレベリング材などでならした後に行っている。また、防水処理は、する場合もしない場合もあり、図はモルタル層の途中に新設の防水層２５を敷き詰めた場合の例である。
【０００３】
以上のよう従来の技術では、既設の和風便器を床から取り除く際はハンマーなどで粉砕する他なく、またコンクリートスラブ開口部をふさぐには、埋設された鉄筋をはつり出し、新たに鉄筋を溶接するといった火を使う作業、開口部を階下からふさぐといった和風便器設置階直下階の天井裏での作業が必要となっていた。更にコンクリートスラブ開口部をふさぐためにモルタルなどを使用するため、その乾燥までの養生時間が必要となっていた。また、既設の床が防水層である場合は、修復作業は専門技能を持った作業者が必要であり、工程の調整、費用などの負担増となっている。
【０００４】
【発明が解決しようとする課題】
従来の和風便器撤去方法では、作業者は既設の和風便器を粉砕して取り除き、階下の天井裏より和風便器の破片を回収する作業および配管の解体作業を行う必要があるため、１フロアーのトイレを改修するには２フロアーのトイレが使用不可能になるといった問題があった。
【０００５】
更に、既設和風便器撤去後のコンクリートスラブ穴埋め作業には、新設の鉄筋をはり、モルタルで埋め戻すため、乾燥までの養生時間が長時間必要であるといった問題があった。
【０００６】
また、工程毎に必要な特殊な技能を持った職人が必要で工程管理が煩雑な上、長い工事期間を要するといった問題があった。特に防水床の場合は顕著である。
【０００７】
また、既設の和風便器、給排水管、コンクリートスラブ切削廃材などの産業廃棄物が大量に発生し、処理に費用と手間を要するといった問題があった。
【０００８】
本発明は、上記課題を解決するためになされたもので、既設の和風便器を全て取り外すことなく、部分的に残した状態で新設の床仕上げへの改修を行うため、従来行っていた、階下天井裏からの配管撤去などの作業およびコンクリートスラブ開口部の穴埋め作業を省き、スラブ上での作業比率が多くなり、作業環境および品質管理の向上となるとともに、改修における業者数および人工を低減することができる。また、速硬性充填材、床プレートを使用すれば養生時間を短縮できることから、著しい工期短縮が可能である。更に、産業廃棄物の発生を少なく抑えることができるため、その処理作業および処理費用も軽減される。このように和風便器の設置フロアーからだけの作業で、短工期に既設の和風便器から新設の床仕上げへ改修するという和風便器の改修方法を提供することにある。
【０００９】
【課題を解決するための手段】
上記目的を達成するために本発明請求項１記載の和風便器の改修における埋設構造は、既設の和風便器の便鉢部上方であって、少なくとも前立て部のみ、または、前立て部およびリム導水路部または、前立て部およびリム導水路部および既設の和風便器の周辺床を切削などにより除去し、前記和風便器の非除去部を床仕上げ面以下に埋設させる構造としたことである。
【００１０】
この発明では、既設の和風便器を全て取り外すことなく埋設させるため、従来行っていた、コンクリートスラブ開口部の埋め戻し工程を省くことができ、短工期化とともに業者数の低減が図れる。更に、既設和風便器上方を除去するため、改修後の床仕上げ面は凸部がなく、既設の床面周辺と面一になり見栄えが劣ることはない。
【００１１】
また、この発明では、和風便器設置フロアーからの作業だけで和風便器の改修が行えるため、従来行っていた階下あるいは階下の天井裏に潜り込んでの作業を省くことができる。このため、作業環境が向上し、ひいては品質管理の向上となる。更に、階下フロアーに迷惑をかけることもなくなり、改修における日程の調整が非常に楽になる。
【００１２】
請求項２記載の発明は、請求項１記載の発明において、既設の和風便器トラップ部またはトラップ部下流部の排水路を前記和風便器の上方からの作業で閉塞させた構造としたことである。
【００１３】
この発明では、既設の和風便器トラップ内もしくは、既設和風便器排水口と既設排水管との接続部付近で排水路を閉塞させることにより、既設排水管より発生する悪臭を防ぐことができる。更に、既設の和風便器の排水管を取り外す必要がないため、従来行っていた階下あるいは階下の天井裏に潜り込んでの作業を省くことができ、また廃棄物の処理作業を少なくすることができる。このため、作業環境が向上するとともに、工期を大幅に短縮することができる。
【００１４】
請求項３記載の発明は、請求項１、２記載の発明の場合において前記既設和風便器の非除去部上方より充填材を充填し、既設和風便器を床仕上げ面以下に埋設させる構造にしたことである。
【００１５】
この発明では、既設の和風便器を充填材を使用して埋設させるため、養生後には陶器面と充填材が完全に接着され、前記既設和風便器の非除去部を充分に保持することができる。また、充填材の上面に仕上げ材を施工することもできる。
【００１６】
請求項４記載の発明は、請求項３記載の発明の場合において、充填材に速硬性セルフレベリング材または、速硬性モルタルを使用して既設和風便器の非除去部を埋設させた構造にしたことである。
【００１７】
この発明では、充填材の養生時間を短縮できるため、工期短縮が可能である。また、充填材に速硬性セルフレベリング材を用いれば、凹凸のない表面状態が得られるため、床仕上げ前の不陸補修の必要がなくなり、タイルまたは長尺塩ビシートなどの床仕上げ材を直接施工することができ、更なる工期短縮が可能である。
【００１８】
請求項５記載の発明は、請求項３、４記載の発明の場合において、既設和風便器の非除去部上方であって、前記和風便器の非除去部幅より長い鉄筋を、既設のモルタル層に吊るされるように配置し、充填材を使用して埋設させる構造にしていることである。
【００１９】
この発明により、充填材を使用して埋設された既設和風便器の非除去部が、上方からの過大な荷重または、地震などの振動により脱落することを防止することができる。
【００２０】
請求項６記載の発明は、請求項３から５記載の発明の場合において、既設和風便器の非除去部の便鉢部に、緩衝材を貼り付けまたは塗布後に、充填材を使用して埋設する構造にしていることである。
【００２１】
この発明により、充填材乾燥時の膨張、収縮による既設和風便器の非除去部のクラック発生を防止することができる。
【００２２】
請求項７記載の発明は、請求項１、２記載の発明の場合において、既設和風便器の非除去部を埋設のため、床プレートを配設する構造にしていることである。
【００２３】
この発明により、既設和風便器の非除去部を充填材を使用して埋め戻す必要がなくなるため、より一層工期を短縮することができる。
【００２４】
請求項８記載の発明は、請求項７記載の発明の場合において、前記床プレートが高さ調節可能となっていることである。
【００２５】
この発明により、床プレート設置面に不陸があっても、床プレート上面の高さ調節および水平度調節が容易に行うことができ、より一層工期を短縮することができる。
【００２６】
請求項９記載の発明は、請求項７、８記載の発明の場合において、前記床プレートの上部に床プレート仕上げ材を配設するようにしていることである。
【００２７】
この発明により、床仕上げ工程を簡素化することができ、より一層工期を短縮することができる。また、仕上げ職人を必要とせずに施行することができるため、職種および人工の削減が図れる。
【００２８】
請求項１０記載の発明は、請求項１から９記載の発明の場合において、既設和風便器の非除去部内または、充填材上面に防水処理を施した構造としたことである。
【００２９】
この発明により、万が一和風便器にクラックが生じ、和風便器埋設部上面の仕上げ床から浸水した場合における階下への漏水を防止することができる。
【００３０】
請求項１１記載の発明は、請求項１０記載の発明の場合において、既設の防水層と接続して新規に防水処理を施した構造としたことである。
【００３１】
この発明にて、万が一床仕上げ面が浸水しているような場合でも階下への漏水を防止することができる。
【００３２】
請求項１２記載の発明は、和風便器の改修における埋設工法として充填材を使用した場合の埋設工法である。
【００３３】
この発明により、既設の和風便器設置フロアーからだけの作業で短工期に和風便器の改修における前記和風便器の改修における埋設工法を行うことができる。
【００３４】
請求項１３記載の発明は、請求項１２記載の発明の場合において、前記既設の和風便器の非除去部上方であって、前記和風便器の非除去部幅より長い鉄筋を、既設のモルタル層に吊るすように配設し、充填材を使用して埋設させた場合の前記和風便器の改修における埋設工法である。
【００３５】
この発明により、充填材を使用して埋設された既設和風便器の非除去部が、上方からの過大な荷重または、地震などの振動により脱落することを防止することができる。
【００３６】
請求項１４記載の発明は、請求項１２、１３記載の発明の場合において、前記充填材上面に、既設の防水層と接続して新規に防水層を敷く、既設和風便器の改修における埋設工法である。
【００３７】
この発明により、万が一和風便器にクラックが生じ、和風便器埋設部上面の仕上げ床から浸水した場合または、上面が浸水しているような場合でも階下への漏水を防止することができる。
【００３８】
請求項１５記載の発明は、和風便器の改修における、埋設方法として床プレートを用いた場合の和風便器の改修における埋設工法である。
【００３９】
この発明により、既設の和風便器設置フロアーからだけの作業で和風便器の改修における前記和風便器の埋設工法を一層短工期に行うことができる。
【００４０】
請求項１６記載の発明は、請求項１５記載の発明の場合において、既設の和風便器の非除去部便鉢部全面に、既設の防水層と接続して新規に防水層を敷く工法としたことである。
【００４１】
この発明にて、万が一床仕上げ面が浸水しているような場合でも階下への漏水を防止することができる。
【００４２】
【発明の実施の形態】
以下、図面を基に、本発明の一実施例を具体的に説明する。
図１は、本発明における請求項１の縦断面図である。図２−（ａ）、（ｂ）、（ｃ）は、本発明における請求項２の縦断面図である。図３は、本発明における請求項３の縦断面図である。図４−（ａ）は、本発明における請求項５の横断面図である。図４−（ｂ）、（ｃ）、（ｄ）は、本発明における請求項５にて使用する鉄筋の断面図である。図５は、本発明における請求項６の縦断面図である。図６−（ａ）は、本発明における請求項７の縦断面図である。図６−（ｂ）は、本発明における請求項７にて支持部を使用した場合の縦断面図である。図７−（ａ）は、本発明における請求項８にて使用する床プレートの構成図である。図７−（ｂ）は、本発明における請求項８にて使用する床プレートの高さ調節機構部の構成図である。図８は、本発明における請求項９の縦断面図である。図９は、本発明における請求項１０の縦断面図である。図１０は、本発明における請求項１１の縦断面図である。図１１（ａ）、（ｂ）、（ｃ）、（ｄ）は、本発明における請求項１２に記載した和風便器の埋設工法の手順について表した図である。図１２（ａ）、（ｂ）、（ｃ）、（ｄ）は、本発明における請求項１３に記載した和風便器の埋設工法の手順について表した図である。図１３（ａ）、（ｂ）、（ｃ）、（ｄ）は、本発明における請求項１４に記載した和風便器の埋設工法の手順について表した図である。図１４（ａ）、（ｂ）、（ｃ）、（ｄ）は、本発明における請求項１５に記載した和風便器の埋設工法の手順について表した図である。図１５（ａ）、（ｂ）、（ｃ）、（ｄ）は、本発明における請求項１６に記載した和風便器の埋設工法の手順について表した図である。図１６（ａ）、（ｂ）、（ｃ）、（ｄ）は和風便器を取り除く従来の方法の手順について表した図である。
【００４３】
図１に示すように、既設の和風便器の便鉢部上方にあたる前立て部２８およびリム導水路４部の、既設和風便器除去部１を切削などにより除去することで、既設の床仕上げ部７から既設の和風便器が突出することなく、既設和風便器の非除去部２を新規床仕上げ部３以下に埋設することができる。
【００４４】
また、既設の和風便器の除去部１が便鉢部上方に限定されるため、既設の和風便器設置時の耐火構造（図示せず）を破壊することがなく、耐火性に対し安全である。
【００４５】
なお、既設の和風便器はディスクグラインダーなどの一般的な切削工具を用いるか、あるいは前記切削工具で陶器部に部分的に切れ目を入れ、トーチなどのバーナーで前記切れ目間を熱することで、ヒートショックにより、切れ目間にクラックが走り、思い通りの部位を容易に除去することができる。
【００４６】
本発明にて採用する既設の和風便器のカット方法について、一例として記載する。既設の和風便器トラップ部を閉塞させ、前記和風便器上方より充填材１２を、前記和風便器の埋設させたい部分（＝既設の和風便器非除去部２）まで充填する。この状態で充填材１２を乾燥のため養生させる。既設の和風便器非除去部２は、外側から既設のモルタル層６、内側から新設の充填材１２にて挟み込まれたサンドイッチ構造となっている。従って、既設の和風便器として露出した部分（＝既設の和風便器除去部１）をハンマーなどの工具を使用して粉砕させれば、既設の和風便器非除去部２に、割れまたはにクラッを生じさせることなく、既設の和風便器除去部１をきれいに除去することができる。なお、既設の和風便器除去部１をハンマーなどの工具を使用して粉砕する際、周辺に陶器破片が飛散する恐れがあるため、飛散防止用にシートまたはネットにて、既設の和風便器除去部１を覆い被せる必要がある。
【００４７】
既設和風便器の具体的な除去部位としては、既設和風便器の前立て部２８のみ、または、既設和風便器の前立て部２８を除去するとともに、リム上面より概略３０ｍｍから５０ｍｍ下面まで、つまりリム導水路４の範囲内で除去すればよい。但し、既設の和風便器が階下に脱落しなければ、この範囲内に必ずしも限定されず、既設の和風便器床下埋設部のどの範囲を除去してもよい。また、既設和風便器周辺床５は除去しても除去しなくてもどちらでもよいが、除去する場合は既設の和風便器の除去部と高さを合わせて既設の和風便の器周辺床５も除去すればよい。
【００４８】
図２−（ａ）に示すように、既設和風便器の非除去部２のトラップ８を閉塞させることで、既設排水管９より発生する悪臭が既設和風便器の非除去部２のトラップ８を経由してトイレ内に充満するのを防ぐことができる。更に、既設排水管９より発生する悪臭を防ぐことができるため、既設の排水管９を撤去する必要がなくなる。また、閉塞部位はトラップ８に限らず図２−（ｂ）に示すように、既設和風便器の非除去部の排水口部１０でもよく、更に図２−（ｃ）に示すように既設排水管９内でもよい。図２−（ｂ）、（ｃ）のように、既設の排水路を閉塞させる場合、既設和風便器の非除去部２の、既設の排水管９上方にあたる便鉢部１１を部分的に除去すれば、上方からの作業で閉塞することができる。
【００４９】
なお、既設和風便器の非除去部２のトラップ８を閉塞させる充填材１２は、上方より作業ができればどんな材質でもよく、例えば図２−（ａ）のようにモルタルなどの充填材１２を充填し閉塞させてもよいし、発泡スチロールなどの弾性体１３を詰め込んでもよい。但し、弾性体１３を詰め込んだ場合は、周辺にシリコンなどのシール材１４との併用で完全な密閉処理を施す必要がある。なお、弾性体１３の材質は発泡スチロールにかぎらず、弾性があれば樹脂材でもゴム材でも構わない。また、シール材１４の材質もシリコンにかぎらず一般的に使用されるシール材で構わない
【００５０】
また、既設和風便器の非除去部２の、既設の排水管９上方にあたる便鉢部１１を除去後、排水口部１０もしくは既設排管９内部を閉塞させる場合は、上方より作業ができ流動性のない材質であればどんな材質でもよく、発泡スチロールなどの弾性体１３を詰め込んでもよい。但し、弾性体１３を詰め込んだ場合は、周辺にシリコンなどのシール材１４との併用で完全な密閉処理を施す必要がある。
【００５１】
図３に示すように、既設和風便器の非除去部２を前記和風便器上方より、充填材１２で充填し、埋設させる。使用する充填材１２は、既設和風便器の非除去部２の上方より埋めることができれば、どんな材質でもよく、２種類以上組み合わせて使用してもよい。なお、新設の床仕上げ材３は、必ずしも施工しなくてもよく、施工する場合においても、既設の床仕上げ部７と面一になるように、必ずしも施工しなくてもよい。
【００５２】
また、既設和風便器の非除去部２を前記和風便器上方より、充填材１２で充填し、埋設させることで、新規床仕上げ部３は床として要求される強度に耐えることが可能となる。
【００５３】
また、既設和風便器の非除去部２を前記和風便器上方より、充填材１２で充填して埋設させる際に使用する充填材１２として速硬性のモルタルまたは、速乾性のモルタルを使用すれば、乾燥までの養生時間が短縮されるため、工期の短縮が可能となる。更に、前記充填材１２として速硬性のセルフレベリング材または、速乾性のセルフレベリング材を使用すれば、充填材の充填と同時に平滑面が得られるため、乾燥までの時間が短縮されるとともに、床仕上げを行う際の不陸補修作業などの左官工といった専門工が必要な下地処理工程が省け、職種を削減することができるとともに、更なる工期の短縮が可能となる。
【００５４】
図４−（ａ）に示すように、既設和風便器の非除去部２より上方で、前記和風便器幅より長い鉄筋１５を既設のモルタル層６に吊るすように配置し、充填材１２を充填することで、既設和風便器の非除去部２と充填材１２の接触面は接着され更に鉄筋１５を介して既設のモルタル層６と一体となりコンクリートスラブ２９階下への脱落を防止している。また、鉄筋１５は既設和風便器の非除去部２に何本使用してもかまわない。
【００５５】
また、鉄筋１５の形状を、図４−（ｂ）、（ｃ）、（ｄ）に示す。図４−（ａ）のように既設和風便器の非除去部２内に納まり、両端が既設のモルタル層６に引っかかっていれば、どのような形状、太さでもかまわない。なお、図４−（ａ）、（ｂ）、（ｃ）、（ｄ）の鉄筋１５の場合その接続部３７は、溶接にて接続されている。図４−（ｂ）、（ｄ）の鉄筋の場合その屈曲部３８は、曲げ加工でもよく、溶接でもよい。
【００５６】
図５に示すように、既設和風便器の非除去部２に緩衝材１６を塗布し、その上方から充填材１２を充填することで、充填材１２乾燥中の膨張または収縮による、既設和風便器の非除去部２へ伝達される応力を緩衝材１６が吸収し、既設和風便器の非除去部２のクラック発生を防ぐことができる。
【００５７】
緩衝材１６は弾力性を有していれば、シート状のものを貼っても、刷毛で塗っても、スプレー塗布など、どんな材質、形状、厚さでもよく、２種類以上組み合わせて使用してもよい。また、緩衝材１６の塗布範囲は、既設和風便器の非除去部２全面であることが好ましいが、部分的であってもかまわない。なお、既設和風便器の非除去部２に緩衝材１６を塗布しなくても、充填材１２に発泡スチロールビーズ玉などの微粒の緩衝材を混ぜ合わせて既設和風便器の非除去部２に充填してもよい。
【００５８】
図６−（ａ）に示すように、既設和風便器の非除去部２上方に床プレート１７をかぶせ、床仕上げを行うことで、充填材１２充填の場合と比べ乾燥までの養生時間を必要としないため更なる短工期が可能となる。
【００５９】
床プレート１７の形状は、既設和風便器の非除去部２より大きい形状であればどのような形状でもよい。なお、床プレート１７は、既設和風便器上方部を除去した後、既設和風便器の非除去部２の周辺にあたる既設の床仕上げ面７上に載置してもよく、既設和風便器周辺床５を前記床プレートの形状に概略一致する形状でざぐり、既設の床仕上げ面７と前記床プレート１７が面一になるように載置してもよい。
【００６０】
床プレート１７の材質は、床材として必要な強度を持っていればよく、鉄板など何でもかまわないが、改修現場でカットする場合もあり、また搬入性を考慮すると、加工性が高く、剛体であり、軽い材質であることが望ましい。本発明にて使用する床プレート材質について、一例として記載する。基本構造は、樹脂含浸紙を薄い金属板で挟み込んだサンドイッチ構造となっている。樹脂含浸紙を使用するのは、床材としての軽量化および、現場での加工性を考慮したためで、具体的にはフェノール樹脂をクラフト紙に含浸させたものが上げられる。また、薄い金属板は、厚さ１．２ｍｍ程度のステンレスを使用している。樹脂含浸紙の形状として、例えばハニカム構造とする場合もあるが、特に形状は限定されるものではない。
【００６１】
また、既設和風便器の非除去部２を前説の床材として強度を有する前記床プレート１７を使用して埋設させる構造としたことで、新規床仕上げ部３は床として要求される強度に充分耐えることが可能となる。
【００６２】
床プレート１７は１枚で構成される必要はなく、２枚以上で構成されていてもよい。また、図６−（ｂ）に示すように、床プレート１７は支持部１８を兼ね備えてもよく、一体でも別体でもよく、また何本あってもよい。
【００６３】
図７−（ａ）に示すように、床プレートは高さ調節用の支持脚１９を兼ね備えてもよく、一体でも別体でも、また何本あってもよい。高さ調節構造の一例として図７−（ｂ）に示す。前記床プレート１７に高さ調節用支持脚貫通穴２０を設け、床プレート裏面から前記貫通穴２０を覆うようにナット２１が溶接されており、ネジ部２２を含んで形成された高さ調節用支持脚１９がねじ込める構造となっている。前記支持脚１９のネジ部２２を前記床プレート１７上方から裏面のナット２１にねじ込み高さ調節を可能にしている。なお、床プレート１７裏面に溶接されたナット２１は床プレート内に埋め込まれている形状が望ましい。高さ調節は床プレート１７上方からドライバーなどの一般的な工具で行えるような形状で前記高さ調節用脚１９は構成されている。なお、高さ調節の構造は前記構造に限定されることはなく、前記床プレート１７と高さ調節機構が別体でもかまわない。
【００６４】
図８に示すように、前記床プレート１７の上部に床プレート仕上げ材２４を設け、前記既設の床仕上げ部７と前記床プレート仕上げ材２４が面一となるように仕上げることができる。なお、既設の床仕上げ部７と前記床プレート仕上げ材２４は必ずしも面一でなくてよい。また、床プレート仕上げ材２４は、床プレート１７の上部に施工することができれば、床プレート仕上げ材２４の大きさ、材質、形状は特に限定されない。
【００６５】
図９に示すように、既設和風便器の非除去部２のトラップ８または、既設和風便器排水口部１０もしくは、既設排水管９などの排水路閉塞後、既設和風便器の非除去部２に新規に防水層２５を施した状態で前記充填材１２または前記床プレート１７で埋設させることで、防水構造を確保できる。防水層の材質、施工方法は、防水シートを貼り付けたり、防水コーティングを施すなど防水構造を確保できればよく、これらに限定しない。
【００６６】
また防水処理を施す際、図１０に示すよう、既設の防水層２６と接続するように新規防水層２５を構成することで、より一層完全な防水構造を確保できる。前記同様に防水層の材質、施工方法は、防水シートを貼り付けたり、防水コーティングを施すなど防水構造を確保できればよく、これらに限定しない。
【００６７】
図１１は既設和風便器の非除去部２に充填材１２を使用して埋設する際の施工手順について一例を表した図である。作業の順番は、以下に限定される必要はない。図１１（ａ）のように設置された既設の和風便器に対し、フラッシュバルブなどの洗浄装置を取り外し、既設和風便器の前立て部２８およびリム導水路４の既設和風便器除去部１および既設和風便器周辺床５を除去し、露出された給水管上部をカット後、塞ぎ蓋などを用いて閉塞させ、更に排水口上部の便鉢部１１もカットした状態が図１１（ｂ）である。なお、既設和風便器周辺床５は必ずしも除去しなくてもよい。次に既設和風便器の非除去部排水口部１０を閉塞させ、充填材１２として、速硬性セルフレベリング材を既設和風便器の非除去部２および既設和風便器周辺床５に充填し、図１１（ｃ）の状態となる。速硬性セルフレベリング材が乾燥後、速硬性セルフレベリング材上に仕上げを行い、終了した状態が図１１（ｄ）である。
【００６８】
図１２は既設和風便器の非除去部２に脱落防止用の鉄筋１５を配設し、充填材１２を使用し、埋設する際の施工手順について一例を表した図である。作業の順番は、以下に限定される必要はない。図１２（ａ）のように設置された既設の和風便器に対し、フラッシュバルブなどの洗浄装置を取り外し、既設和風便器の前立て部２８およびリム導水路４の既設和風便器除去部１および既設和風便器周辺床５をカットし、露出された給水管上部をカット後、塞ぎ蓋などを用いて閉塞させ、更に排水口上部の便鉢部１１もカットした状態が図１２（ｂ）である。次に既設和風便器の非除去部排水口部１０を閉塞させ、鉄筋１５を既設モルタル層６に吊り下げるように配設し、充填材１２として、速硬性セルフレベリング材を既設和風便器の非除去部２および既設和風便器周辺床５に充填し、図１２（ｃ）の状態となる。速硬性セルフレベリング材が乾燥するまで養生後、最後に速硬性セルフレベリング材上に仕上げを行い、終了した状態が図１２（ｄ）である。
【００６９】
図１３は既設和風便器の非除去部２に脱落防止用の鉄筋１５を配設し、充填材１２を使用して防水処理を施し埋設する際の施工手順について一例を表した図である。作業の順番は、以下に限定される必要はない。図１３（ａ）のように設置された既設の和風便器に対し、フラッシュバルブなどの洗浄装置を取り外し、既設和風便器の前立て部２８およびリム導水路４の既設和風便器除去部１および既設和風便器周辺床５をカットし、露出された給水管上部をカット後、塞ぎ蓋などを用いて閉塞させた状態が図１３（ｂ）である。この際に既設の防水層２６を切らないよう露出させておく。次に既設和風便器の非除去部トラップ８部を充填材１２などで閉塞させ、既設の防水層２６に接続するように新規防水層２５を既設の和風便器非除去部に敷きつめ、鉄筋１５を既設モルタル層６に吊り下げるように配設し、充填材１２として、速硬性セルフレベリング材を既設和風便器の非除去部２および既設和風便器周辺床５に充填し、図１３（ｃ）の状態となる。速硬性セルフレベリング材が乾燥するまで養生後、最後に、床仕上げを行い、終了した状態が図１１（ｄ）である。
【００７０】
図１４は既設和風便器の非除去部２を、床プレート１７を使用して埋設する際の施工手順について一例を表した図である。作業の順番は、以下に限定される必要はない。図１４（ａ）のように設置された既設の和風便器に対し、フラッシュバルブなどの洗浄装置を取り外し、既設和風便器の前立て部２８およびリム導水路４の既設和風便器除去部１および既設和風便器周辺床５をカットし、露出された給水管上部をカット後、塞ぎ蓋などを用いて閉塞させた状態が図１４（ｂ）である。次に既設和風便器の非除去部トラップ８を閉塞させ、床プレート１７を配設し、床プレートレベル調節を行う。前記床プレート１７上面は、新たな床仕上げ代を確保するような高さに調節し図１４（ｃ）の状態になる。最後に、床プレート１７上に仕上げを行い、終了した状態が図１４（ｄ）である。
【００７１】
図１５は既設和風便器の非除去部２を、床プレート１７を使用し、防水処理を施し、埋設する際の施工手順について一例を表した図である。作業の順番は、以下に限定される必要はない。図１５（ａ）のように設置された既設の和風便器に対し、フラッシュバルブなどの洗浄装置を取り外し、既設和風便器の前立て部２８およびリム導水路４の既設和風便器除去部１および既設和風便器周辺床５をカットし、露出された給水管上部をカット後、塞ぎ蓋などを用いて閉塞させた状態が図１５（ｂ）である。次に既設和風便器の非除去部トラップ８を閉塞させ、既設和風便器の非除去部２全面に新規防水層２５を敷きつめ、床プレート１７を配設する。前記床プレート１７上面は、新たな床仕上げ代を確保するような高さに調整し図１５（ｃ）の状態になる。最後に、床プレート１７上に仕上げを行い、終了した状態が図１５（ｄ）である。
【００７２】
【発明の効果】
本発明は上記構成により次の効果を発揮する。
以上説明したように本発明にあたって請求項１の発明では、既設の和風便器を取り除き、新設の床仕上げへ改修する際、既設の和風便器を全て取り外すことなく部分的残した状態で床面以下に埋設させることにより、従来行っていた、コンクリートスラブ貫通穴の埋め戻し工程を省くことができ、短工期化とともに業者数の低減が図れる。
【００７３】
また、和風便器設置フロアーからの作業だけで和風便器の改修が行えるため、従来行っていた階下あるいは階下の天井裏に潜り込んでの作業を省くことができるため、作業環境が向上し、ひいては品質管理の向上となるとともに、階下フロアーに迷惑をかけることもなくなり、改修における日程の調整が非常に楽になる。
【００７４】
また、既設の和風便器の除去部が便鉢部上方に限定されるため、既設の和風便器設置時の耐火構造を破壊することがなく、耐火性に対し安全である。
【００７５】
なお、既設の和風便器を部分的に除去する際、既設の和風便器の外側から既設のモルタル層、内側から新設の充填材にて挟み込まれたサンドイッチ構造とした後、既設の和風便器として露出した部分をハンマーなどの工具を使用して粉砕させることで、既設の和風便器の床下埋設部分に、割れまたはにクラックを生じさせることなく、既設の和風便器として露出した部分をきれいに除去することができるため、既設の和風便器を短工期にカットでき、更に火炎など使用しないため周囲への安全性向上が図れる。
【００７６】
また、既設和風便器上方を除去するため、改修後の床仕上げ面は凸部がなく、既設の床面周辺と面一になり見栄えが劣ることはない。
【００７７】
請求項２の発明では、既設の和風便器のトラップ部、またはトラップ部下流の排水路を上方からの作業で閉塞させた構造としたことで、既設排水管より発生する悪臭を防ぐことができるため、既設の和風便器の排水管を取り外す必要がなくなり、従来行っていた階下あるいは階下の天井裏に潜り込んでの配管撤去作業を省くことができ、また廃棄物の処理作業を少なくすることができる。このため、音やほこりの発生が少なく、工期を大幅に短縮することができる。
【００７８】
請求項３の発明では、既設和風便器の非除去部上方より充填材を充填し既設和風便器を埋設させる構造にしたことで、養生後には陶器面と充填材が完全に接着され、前記既設和風便器の非除去部を充分に保持することができ、また、充填材の上面に仕上げ材を施工することもできる。
【００７９】
また、既設和風便器の非除去部を前記和風便器上方より、充填材で充填し、埋設させることで、新規床仕上げ部は床として要求される強度に耐えることが可能となる。
【００８０】
請求項４の発明では、充填材に速硬性セルフレベリング材または、速硬性モルタルを使用して既設和風便器の非除去部を埋設させた構造にしたことで、充填材の養生時間を短縮できるため、工期短縮が可能である。更に、充填材に速硬性セルフレベリング材を用いれば、凹凸のない表面状態が得られるため、床仕上げ前の不陸補修の必要がなくなり、職種の削減ができるとともに、タイルまたは長尺塩ビシートなどの床仕上げ材を直接施工することができ、更なる工期短縮が可能である。
【００８１】
請求項５の発明では、既設和風便器の非除去部上方であって、前記和風便器の非除去部幅より長い鉄筋を、既設のモルタル層に吊るされるように配置し、充填材で埋設させる構造にしていることで、充填材で埋設された既設和風便器の非除去部が、上方からの過大な荷重または、地震などの振動により脱落することを防止することができる。
【００８２】
請求項６の発明では、既設和風便器の非除去部の便鉢部に、緩衝材を貼り付けまたは、塗布後に充填材で埋設する構造にしていることで、充填材乾燥時の膨張、収縮による既設和風便器の非除去部のクラック発生を防止することができる。
【００８３】
請求項７の発明では、既設和風便器の非除去部を埋設のため、床プレートを配設する構造にしていることで、既設和風便器の非除去部を充填材で埋め戻す必要がなくなるため、より一層工期を短縮することができる。
【００８４】
また、前記床プレート材が、樹脂含浸紙を薄い金属板で挟み込んだサンドイッチ構造としたことにより、充分な強度を得ながら、板厚を薄くおさえることができ、軽量で搬入し易く、現場での加工も容易になる。
【００８５】
また、既設和風便器の非除去部を床材としての強度を有する前記床プレートを使用して埋設させることで、新規床仕上げ部は床として要求される強度に耐えることが可能となる。
【００８６】
請求８項の発明では、前記床プレートが高さ調節可能となっていることで、床プレート設置面の高さ調節および水平度調節が容易に行うことができ、より一層工期を短縮することができる。
【００８７】
請求項９の発明では、前記床プレートの上部に床プレート仕上げ材を配設するようにしていることで、床仕上げ工程を簡素化することができ、より一層工期を短縮することができる。また、仕上げ職人を必要とせずに施行することができるため、職種および人工の削減が図れる。
【００８８】
請求項１０の発明では、既設和風便器の非除去部内または、充填材上面に防水処理を施した構造としたことで、万が一和風便器にクラックが生じ、和風便器埋設部上面の仕上げ床から浸水した場合における階下への漏水を防止することができる。おもに床仕上げが長尺塩ビシートの場合で、改修後の床清掃方法がモップ掛け程度と、日常は床に水がまかれないトイレ空間の簡易的な防水処理として、短工期、低価格となり有効である。
【００８９】
請求項１１の発明では、既設の防水層と接続して新規に防水処理を施した構造としたことで、万が一上面が浸水しているような場合でも階下への漏水を防止することができる。おもに床仕上げがタイル貼りの場合で、改修後の床清掃方法はブラシを使用してこするなど、日常から床に水がまかれるトイレ空間の完全な防水処理として、有効である。
【００９０】
請求項１２の発明では、和風便器の改修における埋設工法として充填材を使用することで、既設の和風便器設置フロアーからだけの作業で短工期に和風便器の改修における前記和風便器の改修における埋設工法を行うことができる。
【００９１】
請求項１３の発明では、前記既設の和風便器の非除去部上方に鉄筋を配設し、充填材を使用して埋設させる工法としたことで、埋設された既設和風便器の非除去部が、上方からの過大な荷重または、地震などの振動により脱落することを防止することができる。
【００９２】
請求項１４の発明では、前記充填材上面に既設の防水層と接続して新規に防水層を敷く、既設和風便器の改修における埋設工法としたことで、万が一和風便器にクラックが生じ、和風便器埋設部上面の仕上げ床から浸水した場合または、上面が浸水しているような場合でも階下への漏水を防止することができる。
【００９３】
請求項１５の発明では、和風便器の改修における、埋設方法として床プレートを使用することで、既設の和風便器設置フロアーからだけの作業で和風便器の改修における前記和風便器の埋設工法を一層短工期に行うことができる。
【００９４】
請求項１６の発明では、既設の和風便器の非除去部便鉢部全面に、既設の防水層と接続して新規に防水層を敷く工法としたことで、万が一床仕上げ面が浸水しているような場合でも階下への漏水を防止することができる。
【００９５】
【図面の簡単な説明】
【図１】本発明における請求項１の縦断面図である。
【図２】−（ａ）、（ｂ）、（ｃ）
本発明における請求項２の縦断面図である。
【図３】本発明における請求項３の縦断面図である。
【図４】−（ａ）
本発明における請求項５の横断面図である。
【図５】−（ｂ）、（ｃ）、（ｄ）
本発明における請求項５にて使用する鉄筋の断面図である。
【図６】本発明における請求項６の横断面図である。
【図７】−（ａ）
本発明における請求項７の縦断面図である。
【図８】−（ｂ）
本発明における請求項７にて支持脚を使用した場合の縦断面図である。
【図９】−（ａ）
本発明における請求項８にて使用する床プレートの構成図である。
【図１０】−（ｂ）
本発明における請求項８にて使用する床プレート高さ調節機構部の構成図である。
【図１１】本発明における請求項９の縦断面図である。
【図１２】本発明における請求項１０の縦断面図である。
【図１３】本発明における請求項１１の縦断面図である。
【図１４】−（ａ）、（ｂ）、（ｃ）、（ｄ）
本発明における請求項１２に記載した和風便器の埋設工法の手順について表した図である。
【図１５】−（ａ）、（ｂ）、（ｃ）、（ｄ）
本発明における請求項１３に記載した和風便器の埋設工法の手順について表した図である。
【図１６】−（ａ）、（ｂ）、（ｃ）、（ｄ）
本発明における請求項１４に記載した和風便器の埋設工法の手順について表した図である。
【符号の説明】
１  …  既設和風便器の除去部
２  …  既設和風便器の非除去部
３  …  新規床仕上げ部
４  …  リム導水路
５  …  既設和風便器周辺床
６  …  既設のモルタル層
７  …  既設の床仕上げ部
８  …  トラップ部
９  …  既設の排水管
１０  …  既設和風便器の排水口部
１１  …  便鉢部
１２  …  充填材
１３  …  弾性体
１４  …  シール材
１５  …  鉄筋
１６  …  緩衝材
１７  …  床プレート
１８  …  床プレート支持部
１９  …  床プレート高さ調節用支持脚
２０  …  高さ調節用支持脚貫通穴
２１  …  ナット
２２  …  ネジ部
２４  …  床プレート仕上げ材
２５  …  新規防水層
２６  …  既設の防水層
２７  …  洗浄装置
２８  …  前立て部
２９  …  コンクリートスラブ
３０  …  既設の和風便器
３１  …  既設の鉄筋
３２  …  新設の鉄筋
３３  …  コンクリートスラブ開口部
３４  …  新設の蓋
３５  …  モルタル
３６  …  既設の給水管
３７  …  接続部
３８  …  屈曲部
【図１】
0003885422.tif 000002
【図２】
0003885422.tif 000003
【図３】
0003885422.tif 000004
【図４】
0003885422.tif 000005
【図５】
0003885422.tif 000006
【図６】
0003885422.tif 000007
【図７】
0003885422.tif 000008
【図８】
0003885422.tif 000009
【図９】
0003885422.tif 000010
【図１０】
0003885422.tif 000011
【図１１】
0003885422.tif 000012
【図１２】
0003885422.tif 000013
【図１３】
0003885422.tif 000014
【図１４】
0003885422.tif 000015
【図１５】
0003885422.tif 000016
【図１６】
0003885422.tif 000017